Podtech/llm-jp-corpus-v4-ja_patent huggingface dataset:
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
放射線を検出可能な複数のセンサが配列されたセンサアレイと、
前記複数のセンサの走査を行毎に行うことにより前記センサアレイを駆動する駆動部と、
前記駆動部によって駆動された前記センサアレイのセンサからセンサ信号を読み出し、前記センサ信号に基づいてアナログデジタル変換することにより画像データを生成する変換部を含む読出部と、
を備える放射線撮像装置であって、
前記画像データは、第１画像データと第２画像データとを含み、
前記読出部は、前記第１画像データを、前記第２画像データに基づいて補正する補正部を含み、
前記第１画像データは、放射線が照射された前記センサアレイに対して第１モードにおいて前記複数のセンサのそれぞれから個別に前記読出部へ読み出された前記センサ信号に基づいて生成され、
前記第２画像データは、放射線が照射されていない前記センサアレイに対して前記第１モードよりも前記複数のセンサの走査が少ない第２モードにおいて前記複数のセンサから２以上の単位で各センサ信号を合算して、或いは、平均化して１つの信号としてまとめて前記読出部へ読み出された前記１つの信号に基づいて生成される
ことを特徴とする放射線撮像装置。
【請求項２】
前記複数のセンサのそれぞれは、
放射線を検出する検出部と、
前記検出部からの信号を増幅する増幅部と、
前記増幅部により増幅された信号を第１信号としてサンプリングし且つ前記増幅部をリセットしたときの該増幅部の出力信号を第２信号としてサンプリングするサンプリング部と、
を含む
ことを特徴とする請求項１に記載の放射線撮像装置。
【請求項３】
前記センサアレイにおいて、前記２以上のセンサに対応する２以上のサンプリング部は、それらが保持する第１信号および第２信号をそれぞれ合算可能に、スイッチを含む接続部により接続されている
前記駆動部は、前記第２モードにおいて、前記接続部により前記２以上のセンサに対応する２以上のサンプリング部が接続された状態で、前記２以上のセンサのうちの一方のみを選択して前記複数のセンサの走査を行うように、前記センサアレイを駆動する
ことを特徴とする請求項２に記載の放射線撮像装置。
【請求項４】
前記読出部は、前記第１信号と前記第２信号との差を増幅可能な差動増幅部
を含み、
前記変換部は、前記差動増幅部の出力信号を変換する、
ことを特徴とする請求項２または請求項３に記載の放射線撮像装置。
【請求項５】
処理部を更に備え、
前記処理部は、
放射線が照射されていない状態の前記センサアレイから前記第２モードで画像データを取得する第１動作と、
前記第１動作で得られた画像データと基準データとに基づいて補正用データを生成する第２動作と、
前記第２動作で生成された補正用データを前記補正部に設定する第３動作と、
を行う
ことを特徴とする請求項１から請求項４の何れか１項に記載の放射線撮像装置。
【請求項６】
前記処理部は、前記第２動作において、前記第１動作で得られた画像データに含まれる欠陥画素からのデータを除いて、前記補正用データを生成する
ことを特徴とする請求項５に記載の放射線撮像装置。
【請求項７】
前記センサアレイを行毎に駆動する駆動部と、
前記駆動部により駆動された前記センサアレイからの信号を列毎に転送する転送部と、
を更に備え、
前記補正部は、前記第３動作で設定された補正用データに応じた信号を、前記転送部により転送された各信号に対して加算する加算部を含む
ことを特徴とする請求項５または請求項６に記載の放射線撮像装置。
【請求項８】
前記基準データは、前記第１動作の前に、放射線が照射されていない状態の前記センサアレイから前記第２モードで読み出された画像データである
ことを特徴とする請求項５から請求項７の何れか１項に記載の放射線撮像装置。
【請求項９】
前記基準データは、前記第１動作の前に、放射線が照射されていない状態の前記センサアレイから前記第２モードで読み出された複数の画像データに基づいて生成される
ことを特徴とする請求項５から請求項７の何れか１項に記載の放射線撮像装置。
【請求項１０】
前記センサアレイは単一の半導体チップに設けられており、
前記放射線撮像装置は、基台上に配列された複数の前記半導体チップを備え、
前記読出部は、前記複数の半導体チップに対応するように複数設けられた
ことを特徴とする請求項１から請求項９の何れか１項に記載の放射線撮像装置。
【請求項１１】
請求項１から請求項１０の何れか１項に記載の放射線撮像装置と、
放射線を発生する放射線源と、を具備する
ことを特徴とする放射線撮像システム。
【請求項１２】
放射線を検出可能な複数のセンサが配列されたセンサアレイと、
前記複数のセンサの走査を行毎に行うことにより前記センサアレイを駆動する駆動部と、
前記駆動部によって駆動された前記センサアレイのセンサからセンサ信号を読み出し、前記センサ信号に基づいてアナログデジタル変換することにより画像データを生成する変換部を含む読出部と、
を備える放射線撮像装置の駆動方法であって、
前記画像データは、第１画像データと第２画像データとを含み、
前記放射線撮像装置の駆動方法は、
放射線が照射されていない状態の前記センサアレイに対して第１モードよりも前記複数のセンサの走査が少ない第２モードにおいて前記複数のセンサから２以上の単位で各センサ信号を合算して、或いは、平均化して１つの信号としてまとめて前記読出部へ読み出された前記１つの信号に基づいて生成された前記第２画像データを読み出す第１工程と、
放射線が照射された状態の前記センサアレイに対して前記第１モードにおいて前記複数のセンサのそれぞれから個別に前記読出部へ読み出された前記センサ信号に基づいて生成された前記第１画像データを前記第１工程で読み出された前記第２画像データに基づいて補正する第２工程と、
を含む
ことを特徴とする放射線撮像装置の駆動方法。
【手続補正２】
【補正対象書類名】明細書
【補正対象項目名】０００７
【補正方法】変更
【補正の内容】
【０００７】
本発明の一つの側面は放射線撮像装置にかかり、前記放射線撮像装置は、放射線を検出可能な複数のセンサが配列されたセンサアレイと、前記複数のセンサの走査を行毎に行うことにより前記センサアレイを駆動する駆動部と、前記駆動部によって駆動された前記センサアレイのセンサからセンサ信号を読み出し、前記センサ信号に基づいてアナログデジタル変換することにより画像データを生成する変換部を含む読出部と、を備える放射線撮像装置であって、前記画像データは、第１画像データと第２画像データとを含み、前記読出部は、前記第１画像データを、前記第２画像データに基づいて補正する補正部を含み、前記第１画像データは、放射線が照射された前記センサアレイに対して第１モードにおいて前記複数のセンサのそれぞれから個別に前記読出部へ読み出された前記センサ信号に基づいて生成され、前記第２画像データは、放射線が照射されていない前記センサアレイに対して前記第１モードよりも前記複数のセンサの走査が少ない第２モードにおいて前記複数のセンサから２以上の単位で各センサ信号を合算して、或いは、平均化して１つの信号としてまとめて前記読出部へ読み出された前記１つの信号に基づいて生成されることを特徴とする。
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
通信装置であって、
送電コイルと、
前記送電コイルとの間で電界および磁界の少なくとも何れかにより結合する受電コイルを有する他の通信装置へ、前記送電コイルを介して所定の電力伝送周波数で無線送電する送信回路と、
受信アンテナと、
前記他の通信装置が有する送信アンテナを介して前記他の通信装置から送信された信号を、前記受信アンテナを介して受信する受信回路と、
前記送信回路による無線送電によって前記受信アンテナから前記受信回路へ入力される前記電力伝送周波数の信号を抑制するフィルタ回路と、を有していることを特徴とする通信装置。
【請求項２】
前記受信回路は、前記通信装置からベースバンド方式で送信された信号を、前記受信アンテナを介して受信することを特徴とする請求項１に記載の通信装置。
【請求項３】
前記受信回路は、前記通信装置から所定の通信周波数の搬送波により送信された信号を、前記受信アンテナを介して受信することを特徴とする請求項１に記載の通信装置。
【請求項４】
前記フィルタ回路は、前記電力伝送周波数の信号の通過を抑制するノッチフィルタであることを特徴とする請求項１から３の何れか１項に記載の通信装置。
【請求項５】
前記フィルタ回路は、所定の遮断周波数を有する高域通過フィルタであって、前記遮断周波数が前記電力伝送周波数より大きく且つ前記通信周波数より小さい高域通過フィルタを有することを特徴とする請求項３に記載の通信装置。
【請求項６】
前記受信アンテナは、前記他の通信装置が有する送信アンテナとの間で電界結合することを特徴とする請求項１から５の何れか１項に記載の通信装置。
【請求項７】
前記受信アンテナは、前記他の通信装置が有する送信アンテナとの間で磁界結合することを特徴とする請求項１から５の何れか１項に記載の通信装置。
【請求項８】
前記受信アンテナは、前記他の通信装置から送信される差動信号の一方と他方を受信するための２つの伝送路を有することを特徴とする請求項１から７の何れか１項に記載の通信装置。
【請求項９】
前記送電コイルと前記受信アンテナとは、同一基板上において同心円状に構成されることを特徴とする請求項１から８の何れか１項に記載の通信装置。
【請求項１０】
前記受信アンテナは、前記送電コイルが成す円の内側に構成されることを特徴とする請求項９に記載の通信装置。
【請求項１１】
複数の所定の電力伝送周波数のうち何れの電力伝送周波数で前記送電回路による無線送電を行うかを決定する決定手段と、
前記フィルタ回路の特性を前記決定手段による決定に応じて制御する制御手段と、を有することを特徴とする請求項１から１０の何れか１項に記載の通信装置。
【請求項１２】
前記受信回路は、複数の異なる周波数で変調された信号を、前記受信アンテナを介して同時に受信することを特徴とする請求項１から１１の何れか１項に記載の通信装置。
【請求項１３】
第１通信装置と第２通信装置とを有する通信システムであって、
前記第１通信装置は、第１コイルと第１アンテナとを有し、
前記第２通信装置は、
前記第１通信装置が有する前記第１コイルとの間で電界及び磁界の少なくとも何れかにより結合する第２コイルと、
前記第１通信装置へ前記第２コイルを介して所定の電力伝送周波数で無線送電する送電回路と、
第２アンテナと、
前記第１通信装置から前記第１アンテナを介して送信された信号を、前記第２アンテナを介して受信する受信回路と、
前記送電回路による無線送電によって前記第２アンテナから前記受信回路へ入力される前記電力伝送周波数の信号を抑制するフィルタ回路と、
を有することを特徴とする通信システム。
【請求項１４】
前記受信回路は、前記通信装置から前記第１アンテナを介してベースバンド方式で送信された信号を、前記第２アンテナを介して受信することを特徴とする請求項１３に記載の通信システム。
【請求項１５】
前記フィルタ回路は、前記電力伝送周波数の信号の通過を抑制するノッチフィルタであることを特徴とする請求項１３または１４に記載の通信システム。
【請求項１６】
前記第２通信装置は、第３アンテナを有し、
前記第１通信装置は、
第４アンテナと、
前記第２通信装置から前記第３アンテナを介して送信された信号を、前記第４アンテナを介して受信する第２受信回路と、
前記第１通信装置が有する前記送電回路による無線送電によって前記第４アンテナから前記第２受信回路へ入力される前記電力伝送周波数の信号を抑制する第２フィルタ回路と、
を有することを特徴とする請求項１３から１５の何れか１項に記載の通信システム。
【請求項１７】
前記第１コイルと前記第１アンテナとは、第１基板上において同心円状に構成され、
前記第２コイルと前記第２アンテナとは、前記第１基板に対向する第２基板上において同心円状に構成されることを特徴とする請求項１３から１６の何れか１項に記載の通信システム。
【請求項１８】
前記第１基板と前記第２基板との少なくとも何れかを旋回させる旋回制御手段を有することを特徴とする請求項１７に記載の通信システム。
【請求項１９】
前記第１通信装置と前記第２通信装置とは、ネットワークカメラ又はロボットハンドにおけるそれぞれ異なる部位に含まれることを特徴とする請求項１３から１８の何れか１項に記載の通信システム。
【手続補正２】
【補正対象書類名】明細書
【補正対象項目名】０００８
【補正方法】変更
【補正の内容】
【０００８】
上述の課題を解決する手段として、本発明による通信装置は、送電コイルと、前記送電コイルとの間で電界および磁界の少なくとも何れかにより結合する受電コイルを有する他の通信装置へ、前記送電コイルを介して所定の電力伝送周波数で無線送電する送信回路と、受信アンテナと、前記他の通信装置が有する送信アンテナを介して前記他の通信装置から送信された信号を、前記受信アンテナを介して受信する受信回路と、前記送信回路による無線送電によって前記受信アンテナから前記受信回路へ入力される前記電力伝送周波数の信号を抑制するフィルタ回路と、を有している。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
超音波を同方向に出力するように構成された複数の超音波スピーカ（２２Ａ，２２Ｂ）と、
要求される音波の到達距離に応じた信号を表す距離信号を取得し、該距離信号が示す到達距離が大きくなるにつれて発音させる超音波スピーカが多くなるように、前記複数の超音波スピーカのうちの発音させる超音波スピーカを表す少なくとも１つの発音スピーカ（２２Ａ，２２Ｂ）を設定するように構成された発音設定部（１７：Ｓ１４０、Ｓ１５０、Ｓ１６０）と、
前記少なくとも１つの発音スピーカに対して、該発音スピーカに超音波を出力させるための音波信号を提供するように構成された信号提供部（１８：Ｓ１５０、Ｓ１６０）と、
を備え、
前記到達距離を短く設定する際に発音させる超音波スピーカの周囲を、前記到達距離を長く設定する際に発音させる超音波スピーカで囲んで配置される超音波出力装置（１）。
【請求項２】
請求項１に記載の超音波出力装置であって、
当該超音波出力装置を搭載する車両を搭載車両として、該搭載車両の走行速度を取得するように構成された速度取得部（１７：Ｓ１１０）、
をさらに備え、
前記発音設定部は、前記距離信号として前記走行速度を用いて、前記走行速度が大きくなるにつれて発音させる超音波スピーカが多くなるように、前記発音スピーカを設定する
ように構成された超音波出力装置。
【請求項３】
請求項１または請求項２に記載の超音波出力装置であって、
前記複数の超音波スピーカは、互いに隣接して配置される
ように構成された超音波出力装置。
【請求項４】
超音波を同方向に出力するように構成された複数の超音波スピーカ（２２Ａ，２２Ｂ）と、
前記複数の超音波スピーカが搭載された車両の走行速度を取得するように構成された速度取得部（１７：Ｓ１１０）と、
前記走行速度を用いて、前記走行速度が大きくなるにつれて発音させる超音波スピーカが多くなるように、前記複数の超音波スピーカを制御する発音設定部と、
を備え、
発音させる超音波スピーカが少なくなるように設定する際に発音させる超音波スピーカの周囲を、発音させる超音波スピーカが多くなるように設定する際に発音させる超音波スピーカで囲んで配置される超音波出力装置。
【請求項５】
超音波を同方向に出力するように構成された複数の超音波スピーカ（２２Ａ，２２Ｂ）による発音を制御する制御装置（１０）が実行する発音制御方法であって、
要求される音波の到達距離に応じた信号を表す距離信号を取得し、該距離信号が示す到達距離が大きくなるにつれて発音させる超音波スピーカが多くなるように、前記複数の超音波スピーカのうちの発音させる超音波スピーカを表す少なくとも１つの発音スピーカを設定する発音設定工程（１７：Ｓ１４０、Ｓ１５０、Ｓ１６０）と、
前記少なくとも１つの発音スピーカに対して、該発音スピーカに超音波を出力させるための音波信号を提供する信号提供工程（１８：Ｓ１５０、Ｓ１６０）と、
を実施し、
前記発音設定工程では、前記到達距離を短く設定する際に発音させる超音波スピーカの周囲が、前記到達距離を長く設定する際に発音させる超音波スピーカで囲まれるように設定される発音制御方法。
【請求項６】
車両に搭載され、超音波を同方向に出力するように構成された複数の超音波スピーカ（２２Ａ，２２Ｂ）の発音制御方法であって、
前記車両の走行速度を取得し、
前記走行速度が大きくなるにつれて発音させる超音波スピーカが多くなるように前記複数の超音波スピーカを制御し、かつ、発音させる超音波スピーカが少なくなるように設定する際に発音させる超音波スピーカの周囲を、発音させる超音波スピーカが多くなるように設定する際に発音させる超音波スピーカで囲まれるように設定する
超音波スピーカの発音制御方法。
【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
ライブコンテンツの配信者が使用する配信者端末からネットワークを介して送信されるライブコンテンツを受信する通信部と、
受信した前記ライブコンテンツの中に他のコンテンツを重畳して再生するための空間内の領域を指定する指定部と、
前記指定部で指定された前記空間内の領域に、前記他のコンテンツを割り当てる選択部と、
前記ライブコンテンツの中に前記選択部で割り当てられた前記他のコンテンツを前記指定部で指定された前記空間内の領域に重畳して配信コンテンツを生成する制御部と、
を備え、
前記通信部は、視聴者端末に前記ネットワークを介して前記配信コンテンツを配信するコンテンツ配信サーバ。
【請求項２】
前記指定部は、前記配信者端末からの指示により前記空間内の領域を指定する請求項１に記載のコンテンツ配信サーバ。
【請求項３】
前記選択部は、ライブコンテンツの配信時間に応じて前記他のコンテンツを割り当てる請求項１又は２に記載のコンテンツ配信サーバ。
【請求項４】
前記選択部は、前記配信者端末の指示により前記他のコンテンツを割り当てる請求項１から３のいずれか一項に記載のコンテンツ配信サーバ。
【請求項５】
前記選択部は、配信先の視聴者端末に応じて前記他のコンテンツを割り当てる請求項１から４のいずれか一項に記載のコンテンツ配信サーバ。
【請求項６】
前記選択部は、前記他のコンテンツの出稿者からの指示に基づいて前記他のコンテンツを別の他のコンテンツに切り替える請求項１から５のいずれか一項に記載のコンテンツ配信サーバ。
【請求項７】
前記選択部は、
前記他のコンテンツを表示する対価の額を含んだ要求を受信し、
前記対価の額が、あらかじめ設定された条件を満たす場合に、前記要求に係る他のコンテンツを割り当てる請求項１から６のいずれか一項に記載のコンテンツ配信サーバ。
【請求項８】
前記選択部は、
複数の前記他のコンテンツの出稿者端末から、各々が他のコンテンツを表示する対価の額を含んだ複数の要求を受信し、
前記複数の要求に含まれる対価の額を互いに比較することにより、一の他のコンテンツを割り当てる請求項１から６のいずれか一項に記載のコンテンツ配信サーバ。
【請求項９】
前記指定部は、前記ライブコンテンツ中の画像を認識して、前記領域を指定する請求項１から８のいずれかに記載のコンテンツ配信サーバ。
【請求項１０】
前記指定部は、前記ライブコンテンツ中で表示されるＡＲマーカーを認識して、前記領域を指定する請求項９に記載のコンテンツ配信サーバ。
【請求項１１】
前記通信部は、前記他のコンテンツをＣＭコンテンツサーバから受信する請求項１から１０のいずれか一項に記載のコンテンツ配信サーバ。
【請求項１２】
通信部が、ライブコンテンツの配信者が使用する配信者端末からネットワークを介して送信されるライブコンテンツを受信するステップと、
指定部が、受信した前記ライブコンテンツの中に他のコンテンツを重畳して再生するための空間内の領域を指定するステップと、
選択部が、前記指定部で指定された前記空間内の領域に、前記他のコンテンツを割り当てるステップと、
制御部が、前記ライブコンテンツの中に前記選択部で割り当てられた前記他のコンテンツを前記指定部で指定された前記空間内の領域に重畳して配信コンテンツを生成するステップと、
前記通信部が、視聴者端末に前記ネットワークを介して前記配信コンテンツを配信するステップと、
を備えるコンテンツ配信方法。
【請求項１３】
ライブコンテンツの配信者が使用する配信者端末からネットワークを介して送信されるライブコンテンツを受信するステップと、
受信した前記ライブコンテンツの中に他のコンテンツを重畳して再生するための空間内の領域を指定するステップと、
指定された前記空間内の領域に、前記他のコンテンツを割り当てるステップと、
前記ライブコンテンツの中に割り当てられた前記他のコンテンツを指定された前記空間内の領域に重畳して配信コンテンツを生成するステップと、
視聴者端末に前記ネットワークを介して前記配信コンテンツを配信するステップと、
をコンピュータによって実現するためのコンテンツ配信プログラム。
【手続補正２】
【補正対象書類名】明細書
【補正対象項目名】０００９
【補正方法】変更
【補正の内容】
【０００９】
上記の課題を解決するために、本開示のコンテンツ配信サーバは、ライブコンテンツの配信者が使用する配信者端末からネットワークを介して送信されるライブコンテンツを受信する通信部と、受信したライブコンテンツの中に他のコンテンツを重畳して再生するための空間内の領域を指定する指定部と、指定部で指定された空間内の領域に、他のコンテンツを割り当てる選択部と、ライブコンテンツの中に選択部で割り当てられた他のコンテンツを指定部で指定された空間内の領域に重畳して配信コンテンツを生成する制御部と、を備え、通信部は、視聴者端末にネットワークを介して配信コンテンツを配信する。
【手続補正３】
【補正対象書類名】明細書
【補正対象項目名】００１０
【補正方法】変更
【補正の内容】
【００１０】
また、本開示のコンテンツ配信方法は、通信部が、ライブコンテンツの配信者が使用する配信者端末からネットワークを介して送信されるライブコンテンツを受信するステップと、指定部が、受信したライブコンテンツの中に他のコンテンツを重畳して再生するための空間内の領域を指定するステップと、選択部が、指定部で指定された空間内の領域に、他のコンテンツを割り当てるステップと、制御部が、ライブコンテンツの中に選択部で割り当てられた他のコンテンツを指定部で指定された空間内の領域に重畳して配信コンテンツを生成するステップと、通信部が、視聴者端末にネットワークを介して配信コンテンツを配信するステップと、を備える。
【手続補正４】
【補正対象書類名】明細書
【補正対象項目名】００１１
【補正方法】変更
【補正の内容】
【００１１】
また、本開示のコンテンツ配信プログラムは、ライブコンテンツの配信者が使用する配信者端末からネットワークを介して送信されるライブコンテンツを受信するステップと、受信したライブコンテンツの中に他のコンテンツを重畳して再生するための空間内の領域を指定するステップと、指定された空間内の領域に、他のコンテンツを割り当てるステップと、ライブコンテンツの中に選択された他のコンテンツを指定された空間内の領域に重畳して配信コンテンツを生成するステップと、視聴者端末にネットワークを介して配信コンテンツを配信するステップと、をコンピュータによって実現する。
【手続補正書】
【提出日】令和1年12月4日(2019.12.4)
【手続補正１】
【補正対象書類名】特許請求の範囲
【補正対象項目名】全文
【補正方法】変更
【補正の内容】
【特許請求の範囲】
【請求項１】
回転軸と、該回転軸に固定されるコアと、該コアに巻回される巻線と、前記巻線が接続される爪部を有して前記回転軸に固定される整流子と、を備えた電機子であって、
少なくとも前記爪部と前記巻線との接続部分を覆うモールド樹脂が設けられ、
前記モールド樹脂の外側を覆う保護カバー部が設けられることを特徴とする電機子。
【請求項２】
請求項１に記載の電機子において、
前記保護カバー部は、熱収縮チューブであることを特徴とする電機子。
【請求項３】
請求項２に記載の電機子において、
前記モールド樹脂は、前記整流子と前記コア端面との間にくびれ部を有し、
前記保護カバー部は、前記爪部並びに該爪部寄りの前記巻線に対応する位置の前記モールド樹脂を覆う第１保護カバーと、前記コア寄りの前記巻線に対応する位置の前記モールド樹脂を覆う第２保護カバーとを備えることを特徴とする電機子。
【請求項４】
請求項３に記載の電機子において、
前記第１保護カバーと前記第２保護カバーとは一部が重なるように設けられることを特徴とする電機子。
【請求項５】
請求項３又は４に記載の電機子において、
前記くびれ部の外径は、前記整流子の外径よりも小径であることを特徴とする電機子。
【請求項６】
請求項３〜５のいずれか一項に記載の電機子において、
前記くびれ部に対応する部位に前記保護カバー部を取り付けた状態の外径は、前記整流子の外径よりも小径であることを特徴とする電機子。
【請求項７】
請求項１〜６のいずれか一項に記載の電機子を備えたことを特徴とするモータ。
【請求項８】
回転軸と、該回転軸に固定されるコアと、該コアに巻回される巻線と、前記巻線が接続される爪部を有して前記回転軸に固定される整流子と、を備えた電機子の製造方法であって、
少なくとも前記爪部と前記巻線との接続部分を樹脂によってモールドすることを特徴とする電機子の製造方法。
【請求項９】
請求項８に記載の電機子の製造方法であって、
熱収縮チューブでなる第１保護カバーを前記爪部並びに該爪部寄りの前記巻線に対応する位置に配置した状態で加熱する第１加熱工程と、
前記第１加熱工程後に熱収縮チューブでなる第２保護カバーを前記コア寄りの前記巻線に対応する位置に配置した状態で加熱する第２加熱工程と、を備えることを特徴とする電機子の製造方法。
【手続補正２】
【補正対象書類名】明細書
【補正対象項目名】０００５
【補正方法】変更
【補正の内容】
【０００５】
上記課題を解決する電機子は、回転軸と、該回転軸に固定されるコアと、該コアに巻回される巻線と、前記巻線が接続される爪部を有して前記回転軸に固定される整流子と、を備えた電機子であって、少なくとも前記爪部と前記巻線との接続部分を覆うモールド樹脂が設けられ、前記モールド樹脂の外側を覆う保護カバー部が設けられる。
【手続補正３】
【補正対象書類名】明細書
【補正対象項目名】０００６
【補正方法】変更
【補正の内容】
【０００６】
この構成によれば、最も断線の可能性の高い整流子の爪部と巻線との接続部位をモールド樹脂で覆うことで確実な巻線保護が可能となり、巻線の断線を抑えることができる。
【手続補正４】
【補正対象書類名】明細書
【補正対象項目名】０００７
【補正方法】変更
【補正の内容】
【０００７】
さらに、モールド樹脂の外側を覆う保護カバー部が設けられることで、例えばモールド樹脂に作用する応力によってモールド樹脂が割れた場合であってもモールド樹脂が飛散することが抑えられる。
【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
画像の複数の領域の各領域に対する撮影条件を設定することで、ハイダイナミックレンジ画像を作成する装置であって、
前記複数の領域の各領域に対する露出条件を設定する設定手段と、
前記複数の領域のうち少なくとも１つの領域の前記設定された露出条件を、前記複数の領域の各領域に対して設定された前記露出条件に含まれる最大値と最小値との間の差が小さくなるよう補正する補正手段と、
を有することを特徴とする装置。
【請求項２】
前記露出条件を決定するための予備露光を行う予備露光手段を有することを特徴とする請求項１に記載の装置。
【請求項３】
前記設定手段は、前記各領域のうち相対的に明るい領域に対する前記露出条件の値は、前記各領域のうち相対的に暗い領域に対する前記露出条件の値より低く設定することを特徴とする請求項１又は請求項２に記載の装置。
【請求項４】
前記補正手段は、前記少なくとも１つの領域の前記設定された露出条件を、前記差に基づいて補正することを特徴とする請求項１乃至請求項３の何れか一項に記載の装置。
【請求項５】
前記補正手段は、前記少なくとも１つの領域の前記設定された露出条件を、前記差が所定の許容可能な最大露出差以下となるように、補正することを特徴とする請求項１乃至請求項３の何れか一項に記載の装置。
【請求項６】
前記少なくとも１つの領域の前記設定された露出条件が、以下の式に従って補正されることを特徴とする請求項５に記載の装置。
【数１】
2019047169.tif 000001
尚、Ｅ’は補正後の露出条件、Ｅは補正前の露出条件、Ｅｍａｘは前記最大値、Ｅｍｉｎは前記最小値、Ｅｔｈは前記許容可能な最大露出差である。
【請求項７】
前記許容可能な最大露出差Ｅｔｈは、１／３以上かつ１以下の範囲内の一値であることを特徴とする請求項６に記載の装置。
【請求項８】
前記撮影条件は、レンズの絞り値と、ＩＳＯ感度と、シャッタースピードとのうちの少なくとも１つを含むことを特徴とする請求項１乃至請求項７の何れか一項に記載の装置。
【請求項９】
前記装置は、幅広いダイナミックレンジを表現する第１のモードと、階調表現を優先する第２のモードとの何れかの撮影モードで動作するように構成されることを特徴とする請求項１乃至請求項８の何れか一項に記載の装置。
【請求項１０】
前記装置が前記第２のモードで動作する場合、前記少なくとも１つの領域の前記設定された露出条件は補正され、前記装置が前記第１のモードで動作する場合、前記複数の領域の各領域に対する前記設定された露出条件は補正されないことを特徴とする請求項９に記載の装置。
【請求項１１】
前記複数の領域の各領域に対して設定される前記撮影条件と前記露出条件とに従って撮影する撮影手段を更に有することを特徴とする請求項１乃至請求項１０の何れか一項に記載の装置。
【請求項１２】
１つの領域の前記露出条件が補正された場合、前記撮影手段は、該領域の前記補正された露出条件に基づき変更される撮影条件に従って撮影することを特徴とする請求項１１に記載の装置。
【請求項１３】
前記補正された露出条件に基づく前記撮影条件の変更は、ＩＳＯ感度とシャッタースピードとの少なくとも一方を変更することで行われることを特徴とする請求項１２に記載の装置。
【請求項１４】
前記補正された露出条件に基づく前記撮影条件の変更は、露出条件と、ＩＳＯ感度と、シャッタースピードとの各値が格納されるテーブルを用いて行われることを特徴とする請求項１２に記載の装置。
【請求項１５】
前記補正された露出条件に基づく前記撮影条件の変更は、撮影モードに従って行われ、
前記撮影モードは、シャッタースピードを優先するモードと、ＩＳＯ感度を固定するモードと、を含むことを特徴とする請求項１２に記載の装置。
【請求項１６】
前記撮影手段により撮影することで取得される画像データに対する現像処理を行う現像手段を更に有し、
前記現像処理は、ホワイトバランス処理と、デモザイク処理と、ガンマ処理と、を含むことを特徴とする請求項１１に記載の装置。
【請求項１７】
前記設定手段は、前記複数の領域のうち前記露出条件が維持される基準領域を設定し、
前記基準領域の露出条件は補正されず、前記基準領域を除く領域の露出条件は補正されることを特徴とする請求項１乃至請求項１６の何れか一項に記載の装置。
【請求項１８】
前記露出条件は、絞り値と、シャッタースピードと、ＩＳＯ感度とのうちの少なくとも１つを含むことを特徴とする請求項１乃至請求項１７の何れか一項に記載の装置。
【請求項１９】
画像の複数の領域の各領域に対する撮影条件を設定可能な装置によって実行される、ハイダイナミックレンジ画像を作成する方法であって、
前記画像の前記複数の領域の各領域に対する露出条件を設定するステップと、
前記画像の前記複数の領域のうち少なくとも１つの領域の前記設定された露出条件を、前記複数の領域の各領域に対して設定された前記露出条件に含まれる最大値と最小値との間の差が小さくなるよう補正するステップと、
を有することを特徴とする方法。
【請求項２０】
請求項１９に記載の方法をコンピュータに実行させるためのプログラム。
【手続補正２】
【補正対象書類名】明細書
【補正対象項目名】０００７
【補正方法】変更
【補正の内容】
【０００７】
本発明は、画像の複数の領域の各領域に対する撮影条件を設定することで、ハイダイナミックレンジ画像を作成する装置であって、前記複数の領域の各領域に対する露出条件を設定する設定手段と、前記複数の領域のうち少なくとも１つの領域の前記設定された露出条件を、前記複数の領域の各領域に対して設定された前記露出条件に含まれる最大値と最小値との間の差が小さくなるよう補正する補正手段と、を有することを特徴とする装置である。
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
画像の複数の領域のそれぞれからコントラスト値を取得する取得手段と、
少なくとも一部の画角が重なり、かつ、ピント位置の異なる複数の画像に対して、領域ごとに前記取得手段が取得した前記コントラスト値に応じた合成比率を設定し、設定した前記合成比率に基づいて前記複数の画像の合成を行って合成画像を生成する合成手段と、を有し、
前記合成手段は、前記複数の領域のうちの第１の領域の前記コントラスト値の変化量が予め定められた第１の閾値以下であり、かつ、前記第１の領域の近傍に前記コントラスト値の変化量が第２の閾値よりも大きい第２の領域が存在する場合は、前記第１の領域の前記合成比率を、前記第２の領域の前記コントラスト値に基づいて設定することを特徴とする画像処理装置。
【請求項２】
前記合成手段は、前記複数の領域のうちの第１の領域の前記コントラスト値の変化量が予め定められた第１の閾値以下であり、かつ、前記第１の領域の近傍に前記コントラスト値の変化量が第２の閾値よりも大きい領域が存在しない場合は、前記第１の領域の前記合成比率を、前記第１の領域の前記コントラスト値に基づいて設定することを特徴とする請求項１に記載の画像処理装置。
【請求項３】
前記合成手段は、前記複数の領域のうちの第３の領域の前記コントラスト値の変化量が前記第１の閾値より大きい場合は、前記第３の領域の前記合成比率を、前記第３の領域の前記コントラスト値に基づいて設定することを特徴とする請求項１または２に記載の画像処理装置。
【請求項４】
前記第２の閾値は、前記第１の閾値と同じ値か、前記第１の閾値より大きい値であることを特徴とする請求項１乃至３のいずれか１項に記載の画像処理装置。
【請求項５】
前記領域は１つの画素からなる領域であることを特徴とする請求項１乃至４のいずれか１項に記載の画像処理装置。
【請求項６】
前記領域の前記コントラスト値の変化量は、前記領域に対応する前記複数の画像の領域のコントラスト値の最大値と最小値との差であることを特徴とする請求項１乃至５のいずれか１項に記載の画像処理装置。
【請求項７】
前記領域に対応する前記複数の画像の領域は、それぞれの前記画像において同じ位置にある領域であることを特徴とする請求項１乃至６のいずれか１項に記載の画像処理装置。
【請求項８】
前記合成手段は、点広がり関数を用いて前記近傍の範囲を定めることを特徴とする請求項１乃至７のいずれか１項に記載の画像処理装置。
【請求項９】
前記合成手段は、被写体の距離情報を用いて前記近傍の範囲を定めることを特徴とする請求項１乃至８のいずれか１項に記載の画像処理装置。
【請求項１０】
前記合成手段は、前記コントラスト値の変化特性を用いて前記近傍の範囲を定めることを特徴とする請求項１乃至９のいずれか１項に記載の画像処理装置。
【請求項１１】
前記ピント位置は、光軸方向で等間隔に設定されることを特徴とする請求項１乃至１０のいずれか１項に記載の画像処理装置。
【請求項１２】
画像を撮像する撮像手段を有し、
前記画像の複数の領域のそれぞれからコントラスト値を取得する取得手段と、
少なくとも一部の画角が重なり、かつ、ピント位置の異なる複数の画像に対して、領域ごとに前記取得手段が取得した前記コントラスト値に応じた合成比率を設定し、設定した前記合成比率に基づいて前記複数の画像の合成を行って合成画像を生成する合成手段と、を有し、
前記合成手段は、前記複数の領域のうちの第１の領域の前記コントラスト値の変化量が予め定められた第１の閾値以下であり、かつ、前記第１の領域の近傍に前記コントラスト値の変化量が第２の閾値よりも大きい第２の領域が存在する場合は、前記第１の領域の前記合成比率を、前記第２の領域の前記コントラスト値に基づいて設定することを特徴とする画像処理装置。
【請求項１３】
画像の複数の領域のそれぞれからコントラスト値を取得する取得ステップと、
少なくとも一部の画角が重なり、かつ、ピント位置の異なる複数の画像に対して、領域ごとに前記コントラスト値に応じた合成比率を設定し、設定した前記合成比率に基づいて前記複数の画像の合成を行って合成画像を生成する合成ステップと、を有し、
前記合成ステップにおいては、前記複数の領域のうちの第１の領域の前記コントラスト値の変化量が予め定められた第１の閾値以下であり、かつ、前記第１の領域の近傍に前記コントラスト値の変化量が第２の閾値よりも大きい第２の領域が存在する場合は、前記第１の領域の前記合成比率を、前記第２の領域の前記コントラスト値に基づいて設定することを特徴とする画像処理装置の制御方法。
【請求項１４】
画像処理装置のコンピュータに動作させるコンピュータのプログラムであって、
画像の複数の領域のそれぞれからコントラスト値を取得する取得ステップと、
少なくとも一部の画角が重なり、かつ、ピント位置の異なる複数の画像に対して、領域ごとに前記コントラスト値に応じた合成比率を設定し、設定した前記合成比率に基づいて前記複数の画像の合成を行って合成画像を生成する合成ステップと、を行わせ、
前記合成ステップにおいては、前記複数の領域のうちの第１の領域の前記コントラスト値の変化量が予め定められた第１の閾値以下であり、かつ、前記第１の領域の近傍に前記コントラスト値の変化量が第２の閾値よりも大きい第２の領域が存在する場合は、前記第１の領域の前記合成比率を、前記第２の領域の前記コントラスト値に基づいて設定することを特徴とするプログラム。
【請求項１５】
前記請求項１４に記載のプログラムが記録されたコンピュータ読み出し可能な記録媒体。
【手続補正２】
【補正対象書類名】明細書
【補正対象項目名】発明の名称
【補正方法】変更
【補正の内容】
【発明の名称】画像処理装置、撮像装置、画像処理装置の制御方法、プログラムおよび記録媒体
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
遊技領域に発射された遊技球が該遊技領域内の始動口に入球することに基づいて抽選を行い、該抽選の結果に基づいて図柄を変動表示させる図柄変動遊技を行い、該図柄変動遊技の結果として当り結果が導出された場合に所定の当り遊技を実行する遊技機において、
所定の設定操作部に対する操作に基づいて、前記当り遊技の実行確率に関する設定情報を決定可能な設定情報決定手段を備え、
前記設定情報決定手段により決定された設定情報は、少なくとも前記図柄変動遊技が進行していない状態で特定表示部に表示されて確認可能であり、
前記設定情報決定手段により決定された設定情報が前記特定表示部に表示されて確認可能とされている状況下では、前記図柄変動遊技が開始されない状態を維持する
ことを特徴とする遊技機。
【手続補正２】
【補正対象書類名】明細書
【補正対象項目名】０００６
【補正方法】変更
【補正の内容】
【０００６】
上記した目的を達成するために、請求項１に係る発明においては、
遊技領域に発射された遊技球が該遊技領域内の始動口に入球することに基づいて抽選を行い、該抽選の結果に基づいて図柄を変動表示させる図柄変動遊技を行い、該図柄変動遊技の結果として当り結果が導出された場合に所定の当り遊技を実行する遊技機において、
所定の設定操作部に対する操作に基づいて、前記当り遊技の実行確率に関する設定情報を決定可能な設定情報決定手段を備え、
前記設定情報決定手段により決定された設定情報は、少なくとも前記図柄変動遊技が進行していない状態で特定表示部に表示されて確認可能であり、
前記設定情報決定手段により決定された設定情報が前記特定表示部に表示されて確認可能とされている状況下では、前記図柄変動遊技が開始されない状態を維持する
ことを特徴とする。
【手続補正書】
【提出日】令和2年6月11日(2020.6.11)
【手続補正１】
【補正対象書類名】特許請求の範囲
【補正対象項目名】全文
【補正方法】変更
【補正の内容】
【特許請求の範囲】
【請求項１】
遊技に使用するための遊技価値をベットするベット手段と、
遊技価値をベットした後、スタートスイッチの操作に基づき、複数種類の当選役の当否を決定する当選種別抽選手段と、
前記スタートスイッチの操作に応じて、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
遊技者に有利な状態において、所定の遊技利益を付与可能な遊技利益付与手段と、
を備え、
前記有利な状態では、第１の状況により所定の遊技利益が付与される場合と、前記第１の状況とは異なる第２の状況により所定の遊技利益が付与される場合とがあり、
前記第２の状況は、前記第１の状況よりも発生しづらい状況であり、
前記第１の状況により所定の遊技利益が付与された以降に前記第２の状況により所定の遊技利益が付与される確率よりも、前記第２の状況により所定の遊技利益が付与された以降に前記第２の状況により所定の遊技利益が付与される確率の方が高いことを特徴とする遊技機。
【手続補正２】
【補正対象書類名】明細書
【補正対象項目名】０００８
【補正方法】変更
【補正の内容】
【０００８】
上記課題を解決するために、本発明の遊技機は、遊技に使用するための遊技価値をベットするベット手段と、遊技価値をベットした後、スタートスイッチの操作に基づき、複数種類の当選役の当否を決定する当選種別抽選手段と、前記スタートスイッチの操作に応じて、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、遊技者に有利な状態において、所定の遊技利益を付与可能な遊技利益付与手段と、を備え、前記有利な状態では、第１の状況により所定の遊技利益が付与される場合と、前記第１の状況とは異なる第２の状況により所定の遊技利益が付与される場合とがあり、前記第２の状況は、前記第１の状況よりも発生しづらい状況であり、前記第１の状況により所定の遊技利益が付与された以降に前記第２の状況により所定の遊技利益が付与される確率よりも、前記第２の状況により所定の遊技利益が付与された以降に前記第２の状況により所定の遊技利益が付与される確率の方が高い。
【手続補正３】
【補正対象書類名】明細書
【補正対象項目名】０００９
【補正方法】削除
【補正の内容】
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の可変入賞装置を動作させる当り遊技を実行する遊技機において、
遊技球を発射する発射手段と、
所定の設定決定条件の成立に基づいて、前記当り結果が導出される確率に関する設定情報を決定可能な設定情報決定手段と、
所定の設定確認条件の成立に基づいて、前記設定情報決定手段が決定した前記設定情報を所定の表示部に表示可能な設定情報確認手段と、を備え、
少なくとも前記設定確認条件が成立して前記設定情報を前記表示部に表示している間は、前記発射手段により遊技球が発射されないようにされ、且つ、前記図柄の変動表示も行われない
ことを特徴とする遊技機。
【手続補正２】
【補正対象書類名】明細書
【補正対象項目名】０００５
【補正方法】変更
【補正の内容】
【０００５】
しかしながら、設定情報を有する遊技機については、運用し難くなる虞があった。
【手続補正３】
【補正対象書類名】明細書
【補正対象項目名】０００６
【補正方法】変更
【補正の内容】
【０００６】
そこで、本発明は、上記の実情に鑑み、設定情報を有する遊技機について運用し易くすることを課題とするものである。
【手続補正４】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の可変入賞装置を動作させる当り遊技を実行する遊技機において、
遊技球を発射する発射手段と、
所定の設定決定条件の成立に基づいて、前記当り結果が導出される確率に関する設定情報を決定可能な設定情報決定手段と、
所定の設定確認条件の成立に基づいて、前記設定情報決定手段が決定した前記設定情報を所定の表示部に表示可能な設定情報確認手段と、を備え、
少なくとも前記設定確認条件が成立して前記設定情報を前記表示部に表示している間は、前記発射手段により遊技球が発射されないようにされ、且つ、前記図柄の変動表示も行われない（段落１８４３等参照）
ことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、設定情報を有する遊技機について運用し易くすることができる。
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果に基づいて図柄の変動表示を行い、該図柄の変動表示の結果に応じて遊技利益を付与する遊技機において、
所定の設定操作部に対する操作に基づいて、遊技に関する設定情報を複数のうちのいずれかに決定可能な設定決定手段と、
図柄の変動表示の結果として大当り結果が導出された場合に、所定の大当り遊技を実行する大当り遊技実行手段と、
図柄の変動表示の結果として小当り結果が導出された場合に、所定の小当り遊技を実行する小当り遊技実行手段と、
を備え、
前記設定情報として第１の設定情報が設定された場合と第２の設定情報が設定された場合とでは、前記小当り結果が導出される確率が同一とされるものの、前記設定情報として前記第１の設定情報が設定された場合には、前記設定情報として前記第２の設定情報が設定された場合よりも、前記大当り結果が導出される確率が低くなるように構成され、
前記設定情報として前記第１の設定情報が設定された場合には、前記設定情報として前記第２の設定情報が設定された場合に比べて、前記大当り遊技が複数回実行される間における前記小当り遊技の実行回数が多くなりうる
ことを特徴とする遊技機。
【手続補正２】
【補正対象書類名】明細書
【補正対象項目名】０００７
【補正方法】変更
【補正の内容】
【０００７】
上述の目的を達成するための有効な解決手段を以下に示す。なお、必要に応じてその作用等の説明を行う。また、理解の容易のため、発明の実施の形態において対応する構成等についても適宜示すが、何ら限定されるものではない。
上記した目的を達成するために、請求項１に係る発明においては、
所定の始動条件の成立に基づいて抽選を行い、該抽選の結果に基づいて図柄の変動表示を行い、該図柄の変動表示の結果に応じて遊技利益を付与する遊技機において、
所定の設定操作部に対する操作に基づいて、遊技に関する設定情報を複数のうちのいずれかに決定可能な設定決定手段と、
図柄の変動表示の結果として大当り結果が導出された場合に、所定の大当り遊技を実行する大当り遊技実行手段と、
図柄の変動表示の結果として小当り結果が導出された場合に、所定の小当り遊技を実行する小当り遊技実行手段と、
を備え、
前記設定情報として第１の設定情報が設定された場合と第２の設定情報が設定された場合とでは、前記小当り結果が導出される確率が同一とされるものの、前記設定情報として前記第１の設定情報が設定された場合には、前記設定情報として前記第２の設定情報が設定された場合よりも、前記大当り結果が導出される確率が低くなるように構成され、
前記設定情報として前記第１の設定情報が設定された場合には、前記設定情報として前記第２の設定情報が設定された場合に比べて、前記大当り遊技が複数回実行される間における前記小当り遊技の実行回数が多くなりうる
ことを特徴とする。
【手続補正３】
【補正対象書類名】明細書
【補正対象項目名】０００８
【補正方法】変更
【補正の内容】
【０００８】
上記構成では、第１の設定情報が設定された場合は、第２の設定情報が設定された場合に比べて、大当り遊技が複数回実行される間における前記小当り遊技の実行回数が多くなりうるという新たな遊技を提供することができる（例えば、段落１８８５〜１９５６の記載を参照）。
【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
所定の始動条件の成立に基づいて抽選を行い、該抽選の結果に基づいて図柄の変動表示を行い、該図柄の変動表示の結果として当り結果が導出された場合に所定の当り遊技を実行する遊技機において、
所定条件の成立に基づいて、前記当り結果が導出される当り確率に関する設定情報を決定可能な特別モードを発生させる特別モード発生手段と、
前記特別モード中に所定の管理者操作を受けることによって、該特別モードの発生前に用いられていた当り確率と同一の当り確率に対応した設定情報を決定する特別決定手段と、
不正行為を検出可能な不正検出手段と、
前記不正検出手段によって不正行為が検出された場合に、不正報知を行う不正報知手段と、
を備え、
前記不正検出手段として、第１の不正行為を検出可能な第１センサ部と、第２の不正行為を検出可能な第２センサ部と、を有し、
前記特別決定手段により前記同一の当り確率に対応した設定情報が決定された場合に、前記第１センサ部と前記第２センサ部の両方での不正監視を行うことなく、前記第１センサ部と前記第２センサ部のうちの一方での不正監視を行う特定の不正監視状態に制御する不正監視状態制御手段をさらに備える
ことを特徴とする遊技機。
【手続補正２】
【補正対象書類名】明細書
【補正対象項目名】０００６
【補正方法】変更
【補正の内容】
【０００６】
上記した目的を達成するために、請求項１に係る発明においては、
所定の始動条件の成立に基づいて抽選を行い、該抽選の結果に基づいて図柄の変動表示を行い、該図柄の変動表示の結果として当り結果が導出された場合に所定の当り遊技を実行する遊技機において、
所定条件の成立に基づいて、前記当り結果が導出される当り確率に関する設定情報を決定可能な特別モードを発生させる特別モード発生手段と、
前記特別モード中に所定の管理者操作を受けることによって、該特別モードの発生前に用いられていた当り確率と同一の当り確率に対応した設定情報（例えば設定１と設定１´）を決定する特別決定手段と、
不正行為を検出可能な不正検出手段と、
前記不正検出手段によって不正行為が検出された場合に、不正報知を行う不正報知手段と、
を備え、
前記不正検出手段として、第１の不正行為を検出可能な第１センサ部（例えば磁気センサ３００３）と、第２の不正行為を検出可能な第２センサ部（例えば振動センサ）と、を有し、
前記特別決定手段により前記同一の当り確率に対応した設定情報が決定された場合に、前記第１センサ部と前記第２センサ部の両方での不正監視（例えば不正監視Ａ）を行うことなく、前記第１センサ部と前記第２センサ部のうちの一方での不正監視（例えば不正監視Ｂ）を行う特定の不正監視状態に制御する不正監視状態制御手段をさらに備える
ことを特徴とする。
【手続補正３】
【補正対象書類名】明細書
【補正対象項目名】０００７
【補正方法】変更
【補正の内容】
【０００７】
上記構成では、同一の当り確率に対応した設定情報の有効活用を図ることが可能となる（例えば、段落１７７１や１７８１の記載を参照）。